(57)【要約】【課題】  断熱ボード材の加工寸法のばらつき、支持枠体間の寸法のばらつき、支持枠体や断熱ボード材の収縮等を吸収する許容幅が広く、施工速度を向上させることができ、断熱ボード材の脱落や気密性の低下を防止することが可能な断熱ボード材設置用部材を提供すること。【解決手段】  支持枠体を有する建築物に断熱ボード材を設置するために用いられる断熱ボード材設置用部材であって、帯状のシートからなるフィルム部と、上記フィルム部の長辺に接合された板部と、上記板部の上記フィルム部が接合された辺と反対側の辺に、上記板部に略垂直に屈曲するように形成された屈曲部と、上記板部の主面から突出するように形成された第１パッキン部と、上記屈曲部から突出するように形成された第２パッキン部とからなることを特徴とする断熱ボード材設置用部材。【選択図】    図１
2006063644.tif 000002
【特許請求の範囲】
【請求項１】
支持枠体を有する建築物に断熱ボード材を設置するために用いられる断熱ボード材設置用部材であって、
帯状のシートからなるフィルム部と、
前記フィルム部の長辺に接合された板部と、
前記板部の前記フィルム部が接合された辺と反対側の辺に、前記板部に略垂直に屈曲するように形成された屈曲部と、
前記板部の主面から突出するように形成された第１パッキン部と
からなることを特徴とする断熱ボード材設置用部材。
【請求項２】
支持枠体を有する建築物に断熱ボード材を設置するために用いられる断熱ボード材設置用部材であって、
帯状のシートからなるフィルム部と、
前記フィルム部の長辺に接合された板部と、
前記板部の前記フィルム部が接合された辺と反対側の辺に、前記板部に略垂直に屈曲するように形成された屈曲部と、
前記屈曲部から突出するように形成された第２パッキン部と
からなることを特徴とする断熱ボード材設置用部材。
【請求項３】
支持枠体を有する建築物に断熱ボード材を設置するために用いられる断熱ボード材設置用部材であって、
帯状のシートからなるフィルム部と、
前記フィルム部の長辺に接合された板部と、
前記板部の前記フィルム部が接合された辺と反対側の辺に、前記板部に略垂直に屈曲するように形成された屈曲部と、
前記板部の主面から突出するように形成された第１パッキン部と、
前記屈曲部から突出するように形成された第２パッキン部と
からなることを特徴とする断熱ボード材設置用部材。
【請求項４】
支持枠体を有する建築物に断熱ボード材を設置するために用いられる断熱ボード材設置用部材であって、
帯状のシートからなるフィルム部と、
前記フィルム部の長辺に接合された長手方向に垂直な断面の形状が台形状の板部と、
前記板部の主面から突出するように形成された第１パッキン部と
からなることを特徴とする断熱ボード材設置用部材。
【請求項５】
複数の第１パッキン部が設けられている請求項１、３又は４に記載の断熱ボード材設置用部材。
【請求項６】
前記フィルム部の両側の長辺に２枚の板部が接合されている請求項１〜５のいずれかに記載の断熱ボード材設置用部材。
【請求項７】
前記第１パッキン部又は第２パッキン部は、中空状であり、長さ方向に垂直な断面の輪郭は、フィン形状、楕円形状、長円形状、又は、レーストラック形状である請求項１〜６のいずれかに記載の断熱ボード材設置用部材。
【請求項８】
前記第１パッキン部は、その先端が前記フィルム部が接合された方向と反対の方向に傾いている請求項１〜７のいずれかに記載の断熱ボード材設置用部材。
【請求項９】
前記第１パッキン部又は第２パッキン部が設けられた部分の近傍の板部に、前記第１パッキン部又は第２パッキン部の一部又は全部を収納するための逃げ込み凹部が形成されている請求項１〜８のいずれかに記載の断熱ボード材設置用部材。
【請求項１０】
支持枠体を有する建築物に断熱ボード材を設置する建築物の施工方法であって、
支持枠体の建築物内部に向いた内側面にフィルム部が当接し、前記内側面に隣接する面に板部が当接するように、複数の支持枠体に請求項１〜９のいずれかに記載の断熱ボード材設置用部材を配設する断熱ボード材設置用部材配設工程と、
前記断熱ボード材設置用部材が配設された前記支持枠体の間に断熱ボード材を挿入、固定する断熱ボード材挿入工程とを含むことを特徴とする建築物の施工方法。
【発明の詳細な説明】
【技術分野】
【０００１】
この発明は、建築物の壁、床、天井等に断熱ボード材を設置する際に用いられる断熱ボード材設置用部材及び該断熱ボード材設置用部材を用いた施工方法に関する。
【背景技術】
【０００２】
従来、建築物や構築物において、広く断熱ボード材が用いられている。例えば、建築物の場合には、床（根太間、大引間）、屋根（垂木間）、壁（柱、間柱間）、天井（野縁間）等に断熱ボード材が取り付け施工されるのが、一般的である。
【０００３】
この断熱ボード材を床、壁等に取り付ける際には、断面視Ｚ形状（Ｌ形状）の取付金具を根太、柱等の支持枠体に設置し、該取付金具が取り付けられた支持枠体の間に断熱ボード材（断熱ボード材）を設置していた。しかし、この取付金具を支持枠体に取り付けたのみでは、支持枠体と断熱ボード材との間に隙間が生じやすく、断熱性、気密性を充分に確保することができず、隙間風が入り込んだり、結露等が生じてしまうという問題があった。なお、本明細書において、上記支持枠体は、根太、大引、垂木、柱等を総称するものとする。
【０００４】
そこで、従来から、断熱ボード材を設置する際に、断熱ボード材設置部分の断熱性、気密性を確保し、結露を防止するための断熱構造が種々検討されている。
【０００５】
例えば、特許文献１には、このような断熱ボード材（断熱構造体）として、２以上の板状断熱ボード材を適宜間隔をおいて軟質シートで連接した断熱ボード材が開示されている。
この断熱ボード材を取り付ける際には、図８に示すように、断熱ボード材１０１に連接された軟質シート１０２を支持枠体１０３の上にブリッジさせ、根太等の支持枠体１０３の間に断熱ボード材１０１を吊設させる。
特許文献１には、このような構成の断熱ボード材を用いることにより、軟質シート１０２により隙間風が防止され、気密性が向上し、施工が容易となる等の効果を有することが記載されている。
【０００６】
特許文献２には、図９に示すように、断熱ボード材２０１の側面２０１ａ及び側面近くの下面に、ひれ状の気密部２０２、２０３を設けた断熱パネルが開示されている。
特許文献２には、この断熱パネルを支持枠体の間に嵌め込み、支持枠体と断熱ボード材との間に、枝分かれしたひれ状の気密部２０２を介装させることにより、気密性、断熱性を保持することができることが記載されている。
【０００７】
特許文献３には、特許文献２に示した断熱パネルと似た構造の断熱パネルが開示されている。すなわち、この断熱パネルでは、複数のひれが断熱パネルの側面に設けられており、この断熱パネルを支持枠体の間に嵌め込み、支持枠体と断熱ボード材との間に、複数のひれ状の気密部を介装させることにより、気密性、断熱性を保持することができることが記載されている。
【０００８】
特許文献４には、図１０に示すように、断熱ボード材３０１の角部に四角柱状の切り欠き部３０１ａを形成するとともに、切り欠き部３０１ａに薄板状パッキン材３０２を設けた断熱ボード材が開示されている。
この断熱ボード材３０１では、薄板状パッキン材３０３が設けられた切り欠き部３０１ａが支持枠体３０３に嵌め込まれるように断熱ボード材３０１を設置することにより、気密性、断熱性を保持することができることが記載されている。
【０００９】
【特許文献１】実開平５−５９１６号公報（実願平３−６３３９３号のマイクロフィルム）
【特許文献２】特開平１０−１９６００１号公報
【特許文献３】特開平１１−１６６２７２号公報
【特許文献４】特開平２００２−７０１９８号公報
【発明の開示】
【発明が解決しようとする課題】
【００１０】
しかしながら、特許文献１に記載の断熱ボード材では、複数の断熱ボード材１０１が軟質シート１０２で連接されているため、嵩張り、持ち運びにくく、施工が困難となるという問題があるとともに、施工により断熱ボード材１０１が垂れ下がる等の問題が発生することがあった。
【００１１】
また、特許文献２、３に記載の断熱パネルでは、断熱パネルの側面等にひれ状の気密部を設けるために、断熱パネルに加工を施す必要があり、生産性が悪いという問題があるとともに、断熱パネルの設置位置が不安定であるという問題があった。
【００１２】
また、特許文献４に記載の断熱ボード材でも、断熱パネル３０１に加工を施す必要があり、生産性が悪いという問題があるとともに、柱と壁、床等との間に断熱ボード材の縁部が介在することとなってしまい、実際の建造物を考えてみると、非現実的な構造である等の問題があった。
【００１３】
本発明は、上述した課題に鑑みてなされたものであり、その目的は、断熱ボード材の加工寸法のばらつき、支持枠体間の寸法のばらつき、支持枠体や断熱ボード材の収縮等を吸収する許容幅が広く、施工速度を向上させることができ、断熱ボード材の脱落や気密性の低下を防止することが可能な断熱ボード材設置用部材及び該断熱ボード材設置用部材を用いた施工方法を提供することにある。
【課題を解決するための手段】
【００１４】
上述した目的を達成するために、本発明は、以下のようなものを提供する。
（１）支持枠体を有する建築物に断熱ボード材を設置するために用いられる断熱ボード材設置用部材であって、
帯状のシートからなるフィルム部と、
上記フィルム部の長辺に接合された板部と、
上記板部の上記フィルム部が接合された辺と反対側の辺に、上記板部に略垂直に屈曲するように形成された屈曲部と、
上記板部の主面から突出するように形成された第１パッキン部と
からなることを特徴とする断熱ボード材設置用部材。
【００１５】
（１）の発明によれば、上記断熱ボード材設置用部材を支持枠体に配設し、上記断熱ボード材設置用部材が配設された上記支持枠体の間に断熱ボード材を挿入、固定することにより、第１パッキン部が断熱ボード材に密着するので、隙間風等の発生を防止することができ、施工部分の断熱性及び気密性を充分に確保することができる。
また、第１パッキン部を伸縮性のものとすることができ、そのような構成とした際には、断熱ボード材の加工寸法のばらつき、支持枠体間の寸法のばらつき、支持枠体や断熱ボード材の収縮等に対する許容幅が広く、これらを吸収することができ、断熱ボード材の脱落や気密性の低下を防止することができ、結露を防止することができる。
さらに、施工が簡単なので、施工速度を向上させることができる。
【００１６】
さらに、本発明は、以下のようなものを提供する。
（２）  支持枠体を有する建築物に断熱ボード材を設置するために用いられる断熱ボード材設置用部材であって、
帯状のシートからなるフィルム部と、
上記フィルム部の長辺に接合された板部と、
上記板部の上記フィルム部が接合された辺と反対側の辺に、上記板部に略垂直に屈曲するように形成された屈曲部と、
上記屈曲部から突出するように形成された第２パッキン部と
からなることを特徴とする断熱ボード材設置用部材。
【００１７】
（２）の発明によれば、上記断熱ボード材設置用部材を支持枠体に配設し、上記断熱ボード材設置用部材が配設された上記支持枠体の間に断熱ボード材を挿入、固定することにより、第２パッキン部が断熱ボード材に密着するので、隙間風等を防止することができ、施工部分の断熱性及び気密性を充分に確保することができる。
また、第２パッキン部を伸縮性のものとすることができ、そのような構成とした際には、第２パッキン部が断熱ボード材を押し出し、断熱ボード材とその近傍に配置された床板、壁板等との間に隙間が生じるのを防止することができ、断熱ボード材等の結露や腐敗を防止することができる。このため、従来のように、断熱ボード材等に結露防止のためのシートを貼る必要がなくなる。
さらに、施工が簡単なので、施工速度を向上させることができる。
【００１８】
さらに、本発明は、以下のようなものを提供する。
（３）  支持枠体を有する建築物に断熱ボード材を設置するために用いられる断熱ボード材設置用部材であって、
帯状のシートからなるフィルム部と、
上記フィルム部の長辺に接合された板部と、
上記板部の上記フィルム部が接合された辺と反対側の辺に、上記板部に略垂直に屈曲するように形成された屈曲部と、
上記板部の主面から突出するように形成された第１パッキン部と
上記屈曲部から突出するように形成された第２パッキン部と
からなることを特徴とする断熱ボード材設置用部材。
【００１９】
（３）の発明によれば、上記断熱ボード材設置用部材を支持枠体に配設し、上記断熱ボード材設置用部材が配設された上記支持枠体の間に断熱ボード材を挿入、固定することにより、第１パッキン部が断熱ボード材に密着するので、隙間風等を防止することができ、施工部分の断熱性及び気密性を充分に確保することができる。
また、第１パッキン部を伸縮性のものとすることができ、そのような構成とした際には、断熱ボード材の加工寸法のばらつき、支持枠体間の寸法のばらつき、支持枠体や断熱ボード材の収縮等に対する許容幅が広く、これらを吸収することができ、断熱ボード材の脱落や気密性の低下を防止することができ、結露を防止することができる。
また、第２パッキン部を伸縮性のものとすることができ、そのような構成とした際には、第２パッキン部が断熱ボード材を押し出し、断熱ボード材とその近傍に配置された床板、壁板等との間に隙間が生じるのを防止することができ、断熱ボード材等の結露や腐敗を防止することができる。その結果、従来のように、断熱ボード材等に結露防止のためのシートを貼る必要がなくなる。
さらに、施工が簡単なので、施工速度を向上させることができる。
【００２０】
さらに、本発明は、以下のようなものを提供する。
（４）  支持枠体を有する建築物に断熱ボード材を設置するために用いられる断熱ボード材設置用部材であって、
帯状のシートからなるフィルム部と、
上記フィルム部の長辺に接合された長手方向に垂直な断面の形状が台形状の板部と、
上記板部の主面から突出するように形成された第１パッキン部と
からなることを特徴とする断熱ボード材設置用部材。
【００２１】
（４）の発明によれば、上記断熱ボード材設置用部材を支持枠体に配設し、上記断熱ボード材設置用部材が配設された上記支持枠体の間に断熱ボード材を挿入、固定することにより、第１パッキン部が断熱ボード材に密着するので、隙間風等を防止することができ、施工部分の断熱性及び気密性を充分に確保することができる。
また、第１パッキン部を伸縮性のものとすることができ、そのような構成とした際には、断熱ボード材の加工寸法のばらつき、支持枠体間の寸法のばらつき、支持枠体や断熱ボード材の収縮等に対する許容幅が広く、これらを吸収することができ、断熱ボード材の脱落や気密性の低下を防止することができ、結露を防止することができる。
また、板部の断面形状が台形であるので、第１パッキン部が断熱ボード材を押し出すように作用し、断熱ボード材とその近傍に配置された床板、壁板との間に隙間が生じるのを防止することができ、断熱ボード材等の結露や腐敗を防止することができる。その結果、従来のように、断熱ボード材等に結露防止のためのシートを貼る必要がなくなる。
さらに、施工が簡単なので、施工速度を向上させることができる。
【００２２】
さらに、本発明は、以下のようなものを提供する。
（５）  上記（１）〜（４）のいずれかに記載の断熱ボード材設置用部材であって、
複数の第１パッキン部が設けられていることを特徴とする。
【００２３】
（５）の発明によれば、複数の第１パッキン部が設けられているので、施工部分の断熱性及び気密性をより確実に確保することができる。
【００２４】
さらに、本発明は、以下のようなものを提供する。
（６）  上記（１）〜（５）のいずれかに記載の断熱ボード材設置用部材であって、
上記フィルム部の両側の長辺に２枚の板部が接合されていることを特徴とする。
【００２５】
（６）の発明によれば、上記フィルム部の両側の長辺に２枚の板部が接合されているので、支持枠体を挟んだ両側に断熱ボード材を設置することができる。
【００２６】
さらに、本発明は、以下のようなものを提供する。
（７）  上記（１）〜（６）のいずれかに記載の断熱ボード材設置用部材であって、
上記第１パッキン部又は第２パッキン部は、中空状であり、長さ方向に垂直な断面の輪郭は、フィン形状、楕円形状、長円形状、又は、レーストラック形状であることを特徴とする。
【００２７】
（７）の発明によれば、上記第１パッキン部又は第２パッキン部は、中空状であり、上記した形状をなしているので、伸縮性に富み、上記（１）〜（４）に記載の作用・効果をより効果的に奏する。
【００２８】
さらに、本発明は、以下のようなものを提供する。
（８）  上記（１）〜（７）のいずれかに記載の断熱ボード材設置用部材であって、
上記第１パッキン部は、その先端が上記フィルム部が接合された方向と反対の方向に傾いていることを特徴とする。
【００２９】
（８）の発明によれば、上記第１パッキン部は、上記フィルム部が形成された方向と反対の方向に傾いているので、断熱ボード材を保持し、又は、押出す作用・効果が大きくなり、断熱ボード材の脱落をより確実に防止することができるとともに、結露も防止することができる。
【００３０】
さらに、本発明は、以下のようなものを提供する。
（９）  上記（１）〜（７）のいずれかに記載の断熱ボード材設置用部材であって、
上記第１パッキン部又は第２パッキン部が設けられた部分の近傍の板部に、上記第１パッキン部又は第２パッキン部の一部又は全部を収納するための逃げ込み凹部が形成されていることを特徴とする。
【００３１】
（９）の発明によれば、逃げ込み凹部が形成されているので、上記第１パッキン部又は第２パッキン部が断熱ボード材により押された場合には、上記第１パッキン部又は第２パッキン部が上記逃げ込み凹部に入り込むことができ、上記断熱ボード材設置用部材が配設された上記支持枠体の間に断熱ボード材を挿入した際、断熱ボード材と断熱ボード材設置用部材との間に隙間がない状態となる寸法の断熱ボード材から、断熱ボード材と断熱ボード材設置用部材との間の間隔が挿入前のパッキン部の幅と同じ寸法の断熱ボード材まで有効に設置することができ、断熱ボード材の加工寸法のばらつき、支持枠体間の寸法のばらつき、支持枠体や断熱ボード材の収縮等に対する許容幅がより広くなる。
【００３２】
さらに、本発明は、以下のようなものを提供する。
（１０）  支持枠体を有する建築物に断熱ボード材を設置する建築物の施工方法であって、
支持枠体の建築物内部に向いた内側面にフィルム部が当接し、上記内側面に隣接する面に板部が当接するように、複数の支持枠体に上記（１）〜（９）のいずれかに記載の断熱ボード材設置用部材を配設する断熱ボード材設置用部材配設工程と、
上記断熱ボード材設置用部材が配設された上記支持枠体の間に断熱ボード材を挿入、固定する断熱ボード材挿入工程とを含むことを特徴とする建築物の施工方法。
【００３３】
（１０）の発明によれば、支持枠体の内側面にフィルム部が当接し、上記内側面に隣接する面に板部が当接するように、支持枠体に断熱ボード材設置用部材を配設し、断熱ボード材を挿入すればよいので、効率的かつ容易に施工を行うことができ、施工速度を上げることができる。
【発明の効果】
【００３４】
本発明に係る断熱ボード材設置用部材によれば、施工部分の断熱性及び気密性を充分に確保することができ、断熱ボード材の加工寸法のばらつき、支持枠体間の寸法のばらつき、支持枠体や断熱ボード材の収縮等に対する許容幅が広く、これらを吸収することができ、断熱ボード材の脱落や気密性の低下を防止することができ、結露を防止することができる。さらに、施工が簡単なので、施工速度を向上させることができ、短期間で施工を終了させることができる。
【００３５】
また、本発明に係る建築物の施工方法によれば、支持枠体の内側面にフィルム部が当接し、上記内側面に隣接する面に板部が当接するように、支持枠体に断熱ボード材設置用部材を配設し、断熱ボード材を挿入すればよいので、容易に施工を行うことができ、施工速度を上げることができ、短期間で施工を終了させることができる。
【発明を実施するための最良の形態】
【００３６】
以下、本発明の実施形態について図面を用いて説明する。
勿論、本発明は、以下の実施形態に限定されるものではなく、本発明の構成を充足する範囲内で、適宜設計変更を行うことが可能である。
【００３７】
［第１実施形態］
図１は、第１実施形態に係る本発明の断熱ボード材設置用部材の一例を模式的に示す斜視図である。
【００３８】
この断熱ボード材設置用部材１０は、帯状のシートからなるフィルム部１１と、フィルム部１１の長辺に接合された板部１２と、板部１２のフィルム部１１が接合された辺と反対側の辺に、板部１２に略垂直に屈曲するように形成された屈曲部１３と、板部１２の主面から突出するように形成された第１パッキン部１４と、屈曲部１３から突出するように形成された第２パッキン部１５とから構成されている。なお、通常、フィルム部１１と板部１２とは、ほぼ直角になるように接合されているが、必ずしも直角でなくてもよい。
【００３９】
フィルム部１１は、帯状のシートからなり、その幅は、フィルム部１１を支持枠体に当接させた際、支持枠体の当接部分の幅より僅かに広いことが好ましく、例えば、４０〜８０ｍｍが好ましい。また、その長さは、例えば、１８２０ｍｍか、それ以上が好ましく、厚さは、例えば、０．１〜０．４ｍｍが好ましい。このように薄いシート状とするのは、フィルム部１１が厚いと、その上に載置する床板、壁板等の高さが設計寸法と異なることとなり、施工に支障を来す場合があるからである。フィルム部１１の材質としては、フィルム状態で強度が比較的高いものであれば特に限定されないが、例えば、ポリエチレン、ポリプロピレン等の樹脂が挙げられる。
【００４０】
板部１２は、所定厚さの板状体からなり、この板状体１２のフィルム部１１が接合された辺と反対側の辺に、板部１２に略垂直に屈曲するように一体的に形成された同じ材質の屈曲部１３が設けられている。図１に示すように、板部１２及び屈曲部１３は、略Ｌ字形状をなしている。
この板部１２及び屈曲部１３は、硬質樹脂からなり、その厚さは、例えば、１〜３ｍｍが好ましく、板部１２の幅は、例えば、３５〜４０ｍｍが好ましく、屈曲部１３の幅は、例えば、１０〜３０ｍｍが好ましい。なお、板部１２の幅は、屈曲部の厚さを除いたものであり、屈曲部１３の幅は、板部１２の幅を含むものである。また、板部１２及び屈曲部１３の長さは、フィルム部１１の長さと同様である。上記硬質樹脂としては、例えば、硬質のポリプロピレン、ポリエチレン、塩化ビニル、アクリロニトリル・ブタジエン・スチレン樹脂（ＡＢＳ）、ナイロン等が挙げられる。
【００４１】
このような硬質樹脂を用いる場合、その硬さは、分子量等を調整することにより制御することができるが、無機材料を添加したものを用いることが望ましい。剛性が高くなり建築材料として好適な硬さとすることができ、光による樹脂材料の脆性化を防止し、さらに、耐水性や耐熱性等を向上させることができるからである。無機材料としては、特に限定されるものではないが、例えば、炭酸カルシウム、含水珪酸マグネシウム、石粉、コンクリート粉体、高炉スラグ、フライアッシュ等を挙げることができる。樹脂材料と無機材料との配合重量比は、１：０．１〜１：３であることが好ましい。また、例えば、フタル酸エステル、ジブチルフタレート等の可塑剤を添加してもよい。
【００４２】
第１パッキン部１４は、板部１２の主面から突出するように形成されており、図１に示した第１パッキン部１４の輪郭は、楕円形状、長円形状、レーストラック形状等の曲線形状、又は、その一部を除いた形状となっている。すなわち、第１パッキン部１４は、上記した形状のものの端部が板部１２に接合されていてもよく、上記形状のものを、例えば、約１／２又は約１／３切除した形態のものが板部１２に接合されていてもよい。
また、図１に示した断熱ボード材設置用部材１０では、第１パッキン部１４の内部に、樹脂は充填されておらず、中空状態で内部には気体が存在しているが、内部に樹脂が充填されていてもよい。
【００４３】
第１パッキン部１４は、軟質樹脂又はゴム材料等により構成されており、その高さ（ｌ１）は、例えば、５〜１０ｍｍ程度が好ましい。上記軟質樹脂としては、例えば、軟質のポリプロピレン、ポリエチレン、塩化ビニル等が挙げられ、ゴムとしては、例えば、天然ゴム（ＮＲ）、スチレン・ブタジエンゴム（ＳＢＲ）、クロロプレンゴム（ＣＲ）等が挙げられる。
【００４４】
図１に示した断熱ボード材設置用部材１０では、第１パッキン部１４の輪郭形状は、上述したように曲線により構成されているが、第１パッキン部１４の輪郭は、上述した形状に限られず、例えば、正方形、長方形等であってもよい。
【００４５】
第１パッキン部１４は、軟質樹脂又はゴム材料等により構成されているので、中空状でなくても伸縮性を有するが、中空にすることにより、内部には空気が存在するので、より伸縮性に富むものとなる。なお、断熱ボード材は、通常、ポリスチレン、ポリエチレン、ポリプロピレン、ポリウレタン等を用いた発泡材により構成されており、その寸法は、例えば、４００ｍｍ×１８２０ｍｍ×３５ｍｍである。
【００４６】
第１パッキン部１４は、その先端がフィルム部１１が接合された方向と反対の方向（図１においては、その先端が下向き）となるように形成されていることが好ましい。断熱ボード材を保持し、又は、押出す（図２においては、上に押し上げる）作用・効果が大きくなり、断熱ボード材の脱落をより確実に防止することがてきるとともに、結露も防止することができるからである。
【００４７】
第２パッキン部１５は、屈曲部１３から突出するように形成されており、その形状、材質等は、第１パッキン部１４と同様である。
この断熱ボード材設置用部材１０は、カッター等の切断用部材を用いて任意の長さに切断することができ、任意の長さで用いることができる。
【００４８】
このような構成の断熱ボード材設置用部材１０の製造方法は限定されるものではないが、例えば、金型を用い、上述した複数種類の樹脂をそれぞれインジェクションし、一体成形することにより製造することができる。
【００４９】
次に、この断熱ボード材設置用部材１０を用いた建築物の施工方法を、床に断熱ボード材を取り付け施工する方法を例にとって説明する。
図２は、断熱ボード材設置用部材１０を用いた建築物の施工方法を模式的に示す断面図であり、根太間に断熱ボード材を設置する施工方法を示している。
【００５０】
図２に示すように、本発明の施工方法では、まず、根太２２の建築物内部に向いた内側面（図１では、上面）２２ａにフィルム部１１が当接し、内側面２２ａに隣接する面２２ｂ、２２ｃに板部１２が当接するように、複数の根太２２に断熱ボード材設置用部材１０を配設する。フィルム部１１を上面２２ａにしっかりと固定するために、釘や接着剤等を用いて固定することが好ましい。
【００５１】
次に、断熱ボード材設置用部材１０が配設された根太２２の間に断熱ボード材２１を挿入、固定し、その上に床板２３を設置する。
この際、軟質樹脂等からなり、中空構造の第１パッキン部１４が断熱ボード材２１の側面に密着するとともに、断熱ボード材２１を押すので、しっかりと固定することができるとともに、隙間風等が入らないようにすることができ、施工部分の断熱性及び気密性を充分に確保することができる。
【００５２】
また、第１パッキン部１４は、軟質樹脂からなり、伸縮性を有するので、断熱ボード材２１の加工寸法のばらつき、根太２２間の寸法のばらつき、根太２２や断熱ボード材２１の収縮等に対する許容幅が広く、これらを吸収することができる。すなわち、第１パッキン部１４の高さｌ１（図１参照）は、ｌ′１（図２参照）と収縮させることが可能であり、収縮させたときの第１パッキン部１４の最低の高さをｌ１minとすると、断熱ボード材２１の寸法Ｌ（図２参照）が、０〜２×（ｌ１−ｌ１min）の範囲で変化しても吸収することができる。
図１に示したように、第１パッキン部１４が中空状であれば、より伸縮性に富み、断熱性及び気密性をより確実に確保することができるとともに、０〜２×（ｌ１−ｌ１min）の吸収範囲も広がる。
【００５３】
また、第２パッキン部１５も伸縮性を有し、断熱ボード材２１を押し上げ、断熱ボード材２１と床板２３との間に隙間が生じるのを防止することができ、断熱ボード材２１等の結露や腐敗を防止することができる。
【００５４】
また、施工を終了した後、長時間を経過すると、上述したように、断熱ボード材２１や根太２２等の木材が収縮したりするが、このような断熱ボード材や木材の収縮も吸収することができ、しっかりとした固定状態を保つことができる。また、上述した記載からも明らかなように、施工方法が簡単で、効率良く施工することができるので、施工速度を上げることができ、短時間で施工工程が終了する。
【００５５】
さらに、許容範囲が広く、上述したように、根太間の間隔に多少のばらつきがあっても、問題なく吸収し、施工を行うことができる。
【００５６】
図２では、床部分への施工方法について説明したが、本発明に係る断熱ボード材設置用部材は、床部分の根太に配設することができるのみならず、床（大引）、屋根（垂木）、壁（柱、間柱）、天井（野縁）等に配設することができ、断熱ボード材設置用部材が配設されたこれら大引間、垂木間等に断熱ボード材を取り付け施工することができる。
【００５７】
また、このような床（大引）、屋根（垂木）、壁（柱、間柱）、天井（野縁）等に本発明に係る断熱ボード材設置用部材を用いて断熱ボード材を取り付け施工した場合にも、上述した効果と同様の効果を奏することができる。
【００５８】
［第２実施形態〜第４実施形態］
図３（ａ）〜（ｃ）は、第２実施形態〜第４実施形態に係る本発明の断熱ボード材設置用部材の一例を模式的に示す断面図である。
【００５９】
図３（ａ）に示すように、本発明に係る断熱ボード材設置用部材は、フィルム部１１の片側の長辺のみに板部１２及び屈曲部１３が形成され、板部１２の主面から突出するように第１パッキン部１４が形成された構成の断熱ボード材設置用部材３０であってもよく、図３（ｂ）に示すように、フィルム部１１の片側の長辺のみに板部１２及び屈曲部１３が形成され、屈曲部１３から突出するように第２パッキン部１５が形成された構成の断熱ボード材設置用部材４０であってもよく、図３（ｃ）に示すように、フィルム部１１の片側の長辺のみに板部１２及び屈曲部１３が形成され、板部１２の主面から突出するように第１パッキン部１４が形成され、屈曲部１３から突出するように第２パッキン部１５が形成された構成の断熱ボード材設置用部材５０であってもよい。
【００６０】
このようなフィルム部１１の片方の長辺のみに板部１２及び屈曲部１３が形成された構成の断熱ボード材設置用部材３０、４０、５０は、床、屋根、壁、天井等の端部に存在し、片側のみに断熱ボード材を設置する支持枠体に断熱ボード材設置用部材を配設する際に用いることができる。
この場合にも、フィルム部１１をしっかりと固定するために、釘や接着剤等を用いて固定することが好ましい。
【００６１】
［第５実施形態〜第６実施形態］
図４（ａ）〜（ｂ）は、第５実施形態〜第６実施形態に係る本発明の断熱ボード材設置用部材の一例を模式的に示す断面図である。
【００６２】
図４（ａ）に示すように、本発明に係る断熱ボード材設置用部材は、フィルム部１１の両側の長辺に板部１２及び屈曲部１３が形成され、板部１２の主面から突出するように第１パッキン部１４が形成された構成の断熱ボード材設置用部材６０であってもよく、図４（ｂ）に示すように、フィルム部１１の両側の長辺に板部１２及び屈曲部１３が形成され、屈曲部１３から突出するように第２パッキン部１５が形成された構成の断熱ボード材設置用部材７０であってもよい。
【００６３】
このような構成の断熱ボード材設置用部材６０、７０であっても、施工部分の断熱性及び気密性を充分に確保することができ、施工速度を向上させることができる。また、第１パッキン部１４や第２パッキン部１５が形成されることより、上述した特有の効果を奏することができる。
【００６４】
［第７実施形態］
図５（ａ）は、図４（ａ）に示した断熱ボード材設置用部材６０の変形例を示す断面図であり、（ｂ）は、その部分拡大断面図である。
【００６５】
この断熱ボード材設置用部材６００では、第１パッキン部６４の輪郭は、ほぼ完全な楕円等の曲線から構成されており、一端が板部１２に接合されており、第１パッキン部６４が接合された部分の近傍の板部１２に第１パッキン部６４をの一部又は全部を収納するための逃げ込み凹部６６が形成されている。
【００６６】
このように板部１２に第１パッキン部６４を収納するための逃げ込み凹部６６が形成されていると、第１パッキン部６４が断熱ボード材により押された場合に、第１パッキン部６４が逃げ込み凹部６６に入り込むことができ、断熱ボード材設置用部材６００が配設された支持枠体の間に断熱ボード材を挿入した際、断熱ボード材と断熱ボード材設置用部材６００との間に隙間がない状態となる寸法の断熱ボード材から、断熱ボード材と断熱ボード材設置用部材６００との間の間隔が挿入前のパッキン部の幅（図５（ｂ）のｌ２）となる寸法の断熱ボード材まで有効に設置することができ、断熱ボード材の加工寸法のばらつき、支持枠体間の寸法のばらつき、支持枠体や断熱ボード材の収縮等に対する許容幅が、最大で０〜２ｌ２と広くなる。
【００６７】
この場合、第１パッキン部６４は、板部１２から下向きにぶら下がっているわけではなく、第１パッキン部６４の接合部分と先端とを結んだ直線が板部１２の主面と所定の角度をなすように接合されており、そのときの幅が図５（ｂ）に示すｌ２となる。従って、ｌ２よりも狭くなるように断熱ボード材で押された場合には、断熱ボード材に押圧力が作用し、その押圧力に起因して断熱ボード材が固定されることとなる。
なお、断熱ボード材により押された際、第１パッキン部６４の押圧力を充分に保つためには、逃げ込み凹部６６の容量は、第１パッキン部６４の容量よりも小さいことが好ましく、具体的には、その深さは、例えば、１〜２ｍｍが好ましい。
【００６８】
［第８実施形態］
図６（ａ）は、第８実施形態に係る本発明の断熱ボード材設置用部材の一例を示す断面図であり、（ｂ）は、その部分拡大断面図である。
【００６９】
この断熱ボード材設置用部材８０は、帯状のシートからなるフィルム部８１と、フィルム部８１の両側の長辺に接合された長手方向に垂直な断面の形状が台形状の板部８２と、板部８２の主面（斜面）から突出するように形成された第１パッキン部８４とからなり、第１パッキン部８４が接合された部分の近傍の板部８２に第１パッキン部８４を収納するための逃げ込み凹部８６が形成されている。
【００７０】
板部８２の断面形状は、台形であるが、この場合の台形の形状は、図６（ａ）に示すように、上底及び下底に対し、１辺が直角となり、他の１辺は、上底に対し鈍角で結合し、下底に対し鋭角で結合する形状となっていることが好ましい。そして、この斜辺（傾斜面）８４ａに第１パッキン部８４が接合されているのである。この斜辺（傾斜面）８４ａと下底とのなす角αは、４５°以上、９０°未満が好ましい。
【００７１】
なお、この場合にも、第１パッキン部８４は、板部１２からぶら下がっているわけではなく、第１パッキン部８４の接合部分と先端とを結んだ直線が板部１２の斜面と所定の角度をなすように接合されており、そのときの幅が図５（ｂ）に示すｌ２となる。従って、ｌ２よりも狭くなるように断熱ボード材で押された場合には、断熱ボード材に押圧力が作用し、その押圧力に起因して断熱ボード材が押し上げられ、固定されることとなる。
【００７２】
なお、図６に示した断熱ボード材設置用部材においても、フィルム部８１の片側の長辺のみに板部が接合されていてもよい。また、この断熱ボード材設置用部材の寸法や材質等は、板部８２の寸法を除いて、図１に示した断熱ボード材設置用部材１０と同様である。
板部８２の断面視した形状（図６に示した台形状）で寸法を示すと、上底と下底との間の幅は、３５〜４５ｍｍが好ましく、下底の長さは、１０〜３０ｍｍが好ましい。また、板部８２の長さは、フィルム部８１の長さと同様であることが望ましい。
【００７３】
次に、この断熱ボード材設置用部材８０を用いた建築物の施工方法について説明する。
図７は、断熱ボード材設置用部材８０を用いた建築物の施工方法を模式的に示す断面図であり、壁の柱間に断熱ボード材を設置する施工方法を示している。
【００７４】
図７に示すように、本発明の施工方法では、まず、柱９２の建築物内部に向いた内側面９２ａにフィルム部８１が当接し、内側面９２ａに隣接する面９２ｂ、９２ｃに板部８２が当接するように、複数の柱９２に断熱ボード材設置用部材８０を配設する。フィルム部８１をしっかりと固定するために、釘や接着剤等を用いて固定する。
【００７５】
次に、断熱ボード材設置用部材８０が配設された柱９２の間に断面視台形状の断熱ボード材９１を挿入、固定し、最後に壁板９３を設置する。
この際、軟質樹脂からなる第１パッキン部８３が断熱ボード材９１の側面に密着し、隙間風等が入らないようにするので、施工部分の断熱性及び気密性を充分に確保することができる。
【００７６】
また、この断熱ボード材設置用部材８０では、台形形状の板部８２に第１パッキン部８３を収納するための逃げ込み凹部８６が形成されているので、図５に示した断熱ボード材設置用部材６００と同様に、第１パッキン部８３が断熱ボード材により押された場合には、第１パッキン部８３が逃げ込み凹部８６に入り込むことができ、断熱ボード材設置用部材８０が配設された支持枠体の間に断面視台形状の断熱ボード材を挿入した際、断熱ボード材と断熱ボード材設置用部材８０との間に隙間がない状態となる寸法の断熱ボード材から、断熱ボード材と断熱ボード材設置用部材６００との間の間隔が挿入前のパッキン部の幅（図６（ｂ）のｌ３）となる寸法の断熱ボード材まで有効に設置することができ、断熱ボード材の加工寸法のばらつき、支持枠体間の寸法のばらつき、支持枠体や断熱ボード材の収縮等に対する許容幅が、最大で０〜２ｌ３と広くなる。
【００７７】
なお、断熱ボード材により押された際、第１パッキン部８３の押圧力を充分に保つためには、逃げ込み凹部８６の容量は、第１パッキン部８３の容量よりも小さいことが好ましく、具体的には、その深さは、例えば、１〜２ｍｍが好ましい。
【００７８】
また、板部８２の断面形状が台形であるので、第１パッキン部８３が断面視台形形状の断熱ボード材を押し出すように（壁板９３の方に押し出すように）作用し、断熱ボード材とその近傍に配置された床板、壁板との間に隙間が生じるのを防止することができ、断熱ボード材等の結露や腐敗を防止することができる。その結果、従来のように、断熱ボード材等に結露防止のためのシートを貼る必要がなくなる。
【図面の簡単な説明】
【００７９】
【図１】第１実施形態に係る本発明の断熱ボード材設置用部材の一例を模式的に示す斜視図である。
【図２】第１実施形態に係る本発明の断熱ボード材設置用部材を用いた建築物の施工方法を模式的に示す断面図である。
【図３】（ａ）〜（ｃ）は、第２実施形態〜第４実施形態に係る本発明の断熱ボード材設置用部材の一例を模式的に示す断面図である。
【図４】（ａ）〜（ｂ）は、第５実施形態〜第６実施形態に係る本発明の断熱ボード材設置用部材の一例を模式的に示す断面図である。
【図５】（ａ）は、図４（ａ）に示した断熱ボード材設置用部材６０の変形例（第７実施形態）を示す断面図であり、（ｂ）は、その部分拡大断面図である。
【図６】（ａ）は、第８実施形態に係る本発明の断熱ボード材設置用部材の一例を示す断面図であり、（ｂ）は、その部分拡大断面図である。
【図７】第８実施形態に係る本発明の断熱ボード材設置用部材を用いた建築物の施工方法を模式的に示す断面図である。
【図８】従来の断熱ボード材の一例を模式的に示す斜視図である。
【図９】従来の断熱ボード材の一例を模式的に示す斜視図である。
【図１０】従来の断熱ボード材の一例を模式的に示す斜視図である。
【符号の説明】
【００８０】
１０、３０、４０、５０、６０、７０、８０、６００  断熱ボード材設置用部材
１１、８１  フィルム部
１２、８２  板部
１３  屈曲部
１４、６４、８４  第１パッキン部
１５  第２パッキン部
６６、８６  逃げ込み凹部
２１、９１  断熱ボード材
２２  根太
２３  床板
２２ａ、９２ａ  内側面
２２ｂ、２２ｃ、９２ｂ、９２ｃ  隣接面
９２  柱
【図１】
2006063644.tif 000003
【図２】
2006063644.tif 000004
【図３】
2006063644.tif 000005
【図４】
2006063644.tif 000006
【図５】
2006063644.tif 000007
【図６】
2006063644.tif 000008
【図７】
2006063644.tif 000009
【図８】
2006063644.tif 000010
【図９】
2006063644.tif 000011
【図１０】
2006063644.tif 000012